(57)【要約】【課題】真空環境下に晒された場合でも膨らみが生じ難い表示装置を提供する【解決手段】画像を表示する表示パネル１１と、前記表示パネル１１の背面に配され、光を発する発光部材２３と、前記発光部材２３を外周から取り囲む枠状部３０と、前記枠状部３０のうち前記表示パネル１１と反対側を塞ぐ底壁２５と、を有する照明装置２０と、を備え、前記表示パネル１１および前記照明装置２０が少なくとも外周領域において固着部材１８により固着されており、前記枠状部３０が、前記照明装置２０の内部空間と外部とを連通させる開口部３１を有する表示装置１０。【選択図】図５
2020091455.tif 000002
【特許請求の範囲】
【請求項１】
画像を表示する表示パネルと、
前記表示パネルの背面に配され、光を発する発光部材と、前記発光部材を外周から取り囲む枠状部と、前記枠状部のうち前記表示パネルと反対側を塞ぐ底壁と、を有する照明装置と、を備え、
前記表示パネルおよび前記照明装置が少なくとも外周領域において固着部材により固着されており、
前記枠状部が、前記照明装置の内部空間と外部とを連通させる開口部を有する表示装置。
【請求項２】
前記発光部材は光源から発せられた光を導光する板状の導光板と、前記導光板のうち前記表示パネル側に配され、前記導光板から前記表示パネル側に向けて発光された光に光学作用を付与する複数の光学シートと、を含み、
前記開口部は、少なくとも、前記導光板のうち前記表示パネル側の表面から前記複数の光学シートのうち前記表示パネル側の表面まで設けられている請求項１に記載の表示装置。
【請求項３】
前記複数の光学シートの端部の一部が段差状に順に露出する段差露出部を有しており、前記開口部は前記段差露出部に対応する領域に設けられている請求項２に記載の表示装置。
【請求項４】
前記表示パネルは、画像が表示される表示領域と、前記表示領域を取り囲む非表示領域とを有し、
前記段差露出部は、前記光学シートのうち、前記非表示領域に対応する領域に設けられており、
前記固着部材は、前記段差露出部以外の前記非表示領域に対応する領域に設けられている請求項３に記載の表示装置。
【請求項５】
前記開口部は前記枠状部のうち前記表示パネル側の端縁部を切り欠いた形態とされている請求項１から請求項４のいずれか一項に記載の表示装置。
【発明の詳細な説明】
【技術分野】
【０００１】
本発明は、表示装置に関する。
【背景技術】
【０００２】
近年、情報端末等の電子機器や自動車等の車両に設けられた計器等の装置においては、画像や情報を表示させる表示パネルとして例えば液晶パネルが汎用されている。これらの液晶パネルは自発光しないため、この種の液晶表示装置には、液晶パネルに対して光を供給するバックライト装置が搭載されている。液晶パネルとバックライト装置とは、それら周縁部が固定テープ等により貼り合わせられ、液晶表示装置を構成している。この貼り合わせ状態において、液晶表示装置は、密閉状態とされている。
【０００３】
また液晶表示装置には、液晶パネルの表側（バックライト装置の反対側）に重なる形で、タッチパネルやカバーガラス等が貼付される。これらのタッチパネルやカバーガラスの貼付作業は、液晶パネルとの間に気泡が入り込むのを防ぐために、真空中において行われる。
【先行技術文献】
【特許文献】
【０００４】
【特許文献１】特開２０１３−２３８８８８号公報
【発明の概要】
【発明が解決しようとする課題】
【０００５】
しかし、密閉状態とされた液晶表示装置の内側には空気が存在しており、真空環境下においては装置内の空気が膨張し、装置の一部または全体に膨らみが生じて、タッチパネルやカバーガラスを正常に貼付できないという問題がある。すなわち、位置決めができずに正規の位置からずれたり、貼付自体ができない不良が発生する。
【０００６】
本発明は上記のような事情に基づいて完成されたものであって、真空環境下に晒された場合でも膨らみが生じ難い表示装置を提供することを目的とする。
【課題を解決するための手段】
【０００７】
本発明は、画像を表示する表示パネルと、前記表示パネルの背面に配され、光を発する発光部材と、前記発光部材を外周から取り囲む枠状部と、前記枠状部のうち前記表示パネルと反対側を塞ぐ底壁と、を有する照明装置と、を備え、前記表示パネルおよび前記照明装置が少なくとも外周領域において固着部材により固着されており、前記枠状部が、前記照明装置の内部空間と外部とを連通させる開口部を有する表示装置である。
【発明の効果】
【０００８】
本発明によれば、真空環境下に晒された場合でも膨らみが生じ難い表示装置が得られる。
【図面の簡単な説明】
【０００９】
【図１】実施形態１に係るバックライト装置の平面図
【図２】図１のＡ−Ａ線における液晶表示装置の断面図
【図３】図１のＢ−Ｂ線における液晶表示装置の断面図
【図４】光学シートの一部拡大斜視断面図
【図５】バックライト装置の一部拡大斜視図
【図６】実施形態２のバックライト装置の一部拡大斜視図
【図７】実施形態２の変形例のバックライト装置の一部拡大斜視図
【図８】実施形態３の光学シートの一部拡大斜視断面図
【図９】バックライト装置の一部拡大斜視図
【発明を実施するための形態】
【００１０】
＜実施形態１＞
実施形態１を図１から図５によって説明する。本実施形態では、表示パネルとして液晶パネル１１を備えた液晶表示装置（表示装置の一例）１０について例示する。なお、各図面の一部にはＸ軸、Ｙ軸及びＺ軸を示しており、各軸方向が各図面で示した方向となるように描かれている。また、上下方向については、図２を基準とし、且つ同図上側を表側とするとともに同図下側を裏側とする。
【００１１】
液晶表示装置１０は全体として平面視長方形の扁平なブロック状をなしており、図２に示すように、画像を表示可能な液晶パネル（表示パネルの一例）１１と、液晶パネル１１に対して裏側に配されるとともに液晶パネル１１に表示のための光を供給するバックライト装置２０（照明装置の一例）とを備えている。液晶パネル１１およびバックライト装置２０は、遮光性を有する枠状の遮光両面テープ１８によって固着されている。本実施形態に係る液晶表示装置１０は、携帯型情報端末（例えば、携帯電話、スマートフォン、タブレット型パーソナルコンピュータ）、携帯型ゲーム機等の各種電子機器に用いられるものであり、液晶パネル１１の画面サイズは、一般的には小型に分類される大きさ（例えば数インチ程度）とされている。
【００１２】
液晶パネル１１は全体として平面視縦長な長方形の板状をなし、その短辺方向がＸ軸方向と一致し、長辺方向がＹ軸方向と一致し、さらに厚さ方向がＺ軸方向と一致するように配されるものとする。液晶パネル１１は表側の面が表示面とされ、その中央部に、画像が表示される表示領域（アクティブエリア）が画成される。表示領域を取り囲む額縁状（枠状、環状）の外周部は、画像が表示されない非表示領域（ノンアクティブエリア）とされる。
【００１３】
液晶パネル１１は、一対の長方形状の基板１１Ａ，１１Ｂが所定のギャップを隔てた状態で貼り合わせられるとともに、両基板１１Ａ，１１Ｂ間に液晶層１２が配された周知の構成とされる。両基板１１Ａ，１１Ｂは、それぞれ無アルカリガラスや石英ガラス等からなる透光性に優れたガラス基板を備えており、それぞれのガラス基板上に既知のフォトリソグラフィ法等によって複数の膜が積層されてなる（詳細な図は省略する）。液晶パネル１１は、液晶層１２を取り囲むよう一対の基板１１Ａ，１１Ｂの外周端部間に介在して液晶層１２を封止するシール部１３と、一対の基板１１Ａ，１１Ｂの外面に貼り付けられる一対の偏光板１４と、を有する。
【００１４】
一対の基板のうち裏側（図２の下方）に配される基板１１Ａはアレイ基板であり、互いに直交するソース配線とゲート配線とに接続されたスイッチング素子（例えばＴＦＴ）と、そのスイッチング素子に接続された画素電極、さらには配向膜等が設けられている。また、表側（図２の上方）に配される基板１１ＢはＣＦ基板であり、Ｒ（赤色），Ｇ（緑色），Ｂ（青色）等の各着色部が所定配列で配置されたカラーフィルタや対向電極、さらには配向膜等が設けられている。また、このうち、ソース配線、ゲート配線、および対向電極などには、図示しない制御回路基板から画像を表示するのに必要な画像データや各種制御信号が供給されるようになっている。
【００１５】
アレイ基板１１ＡおよびＣＦ基板１１Ｂは、短辺方向（Ｘ軸方向）の長さ寸法が概ね同等とされる一方、長辺方向（Ｙ軸方向）の長さ寸法はアレイ基板１１Ａの方が長くなるように形成されており、長辺方向（Ｙ軸方向）についての一方の端部（図２の左側の端部）においてアレイ基板１１Ａが露出している。この露出した領域には、表示領域に各種信号を供給するための部品としてドライバ（駆動回路部）１５及びフレキシブル基板１６が実装されている。液晶パネル１１は、バックライト装置２０から供給される光を利用して画像を表示することができ、その表側が出光側とされている。
【００１６】
バックライト装置２０は、液晶パネル１１と同様に、全体として平面視長方形とされた略ブロック状をなしており、その短辺方向がＸ軸方向と一致し、長辺方向がＹ軸方向と一致し、厚さ方向がＺ軸方向と一致するように配されている。バックライト装置２０は、光源である複数のＬＥＤ２１（Light Emitting Diode：発光ダイオード、発光部材の一例）が実装されたＬＥＤ基板２２（発光部材の一例）と、ＬＥＤ２１から発せられる光を導光する導光板２３（発光部材の一例）と、導光板２３の表側に配置される光学シート２４（発光部材の一例）と、導光板２３の裏側に積層配置される反射シート２５と、ＬＥＤ基板２２および導光板２３を外周から取り囲んで内側に収容するフレーム３０（枠状部の一例）と、を備える。
【００１７】
バックライト装置２０は、導光板２３の一短辺側の端面（Ｘ軸方向に延びる端面）にＬＥＤ２１（ＬＥＤ基板２２）が配されることで、導光板２３に対して片側からのみ入光される片側入光タイプのエッジライト型（サイドライト型）とされる（図１参照）。バックライト装置２０は、ＬＥＤ２１からの光を面状の光に変換しつつ、表側の液晶パネル１１に向けて出射するものとされる。つまり、バックライト装置２０は表側が出光側とされる。ＬＥＤ２１（ＬＥＤ基板２２）は、液晶表示装置１０のうち、ドライバ１５が設けられた方の端部に配されている。以下、バックライト装置２０の構成部品について順に説明する。
【００１８】
ＬＥＤ２１は、後述するＬＥＤ基板２２の板面に固着される基板部上に半導体発光素子であるＬＥＤチップ（ＬＥＤ素子）を樹脂材により封止した構成とされる。このＬＥＤ２１は、ＬＥＤ基板２２に対する実装面に隣接する側面が発光面２１Ａとされる、いわゆる側面発光型とされている。
【００１９】
ＬＥＤ基板２２は、絶縁材料製であり可撓性を有するフィルム状（シート状）の基材上に複数のＬＥＤ２１が間欠的に並ぶ形で表面実装されるとともに、ＬＥＤ２１に対して給電するための、銅箔などの金属膜からなる配線パターンがパターニングされた構成とされている。ＬＥＤ基板２２におけるＬＥＤ２１の実装面は、裏側（液晶パネル１１側とは反対側）を向いた面とされている。
【００２０】
ＬＥＤ基板２２は、その長辺寸法が後述する導光板２３の短辺寸法（Ｘ軸方向の寸法）とほぼ同等とされた帯状とされている。またＬＥＤ基板２２は、一対の長辺の一方が導光板２３の一対の短辺の一方に沿うように導光板２３の表側に配され、導光板２３に固定されている。すなわち、ＬＥＤ基板２２は、バックライト装置２０の短辺方向（Ｘ軸方向）に沿って延在しており、ＬＥＤ２１はその発光面２１Ａが後述する導光板２３の一短辺側の端面（光入射面２３Ａとする）と平行になるように対向配置されている。
【００２１】
導光板２３は、例えばＰＭＭＡなどのアクリル系樹脂やポリカーボネイト等の透明な合成樹脂等からなり、屈折率が空気よりも十分に高くなっている。導光板２３は、縦長の板状をなしていてフレーム３０によりその周りが取り囲まれた形で収容されるとともに、液晶パネル１１及び光学シート２４の直下位置に配されており、長辺方向がＹ軸方向と、短辺方向がＸ軸方向とそれぞれ一致し、且つその板面と直交する板厚方向がＺ軸方向と一致している。
【００２２】
導光板２３の外周端面のうち図２に示す左側の短辺の端面は、上述したように、ＬＥＤ２１の発光面２１Ａと平行に対向してＬＥＤ２１からの光が入射される光入射面２３Ａとされる。また、一対の板面のうち上面（表面）は光を液晶パネル１１に向けて出射させる光出射面２３Ｂとし、一対の板面のうち下面（裏面）は、導光板２３の内部から当該下面（裏面）に向かう光を光出射面２３Ｂ側に向けて反射する反射面２３Ｃと称することとする。
【００２３】
光出射面２３Ｂは、液晶パネル１１の板面に並行しており、次述する光学シート２４を挟んで液晶パネル１１の板面と対向状をなしている。このような構成により、導光板２３は、ＬＥＤ２１からＹ軸方向に沿って発せられた光を光入射面２３Ａから導入するとともに、その光を内部で伝播させた後にＺ軸方向に沿って立ち上げて光出射面２３Ｂから光学シート２４及び液晶パネル１１側（表側）へ向けて出射させる機能を有している。
【００２４】
光学シート２４は平坦な長方形のシート状であって、その長辺方向がＹ軸方向と、短辺方向がＸ軸方向とそれぞれ一致して、導光板２３の光出射面２３Ｂに積層されている。光学シート２４は、導光板２３と液晶パネル１１との間に介在して配されることで、導光板２３からの出射光を透過するとともにその透過光に所定の光学作用を付与しつつ液晶パネル１１に向けて出射させる。本実施形態に係る光学シート２４は３層構造とされており、下層側から順に、拡散シート２４Ａと、レンズシート（プリズムシート）２４Ｂ、と、反射型偏光シート２４Ｃとが重ねられてなる。
【００２５】
光学シート２４の一対の長辺のうち、ＬＥＤ基板２２が配された端部寄り（図１の下寄り）には、積層された３枚の各シート２４Ａ，２４Ｂ，２４Ｃが短辺方向に沿う階段状に露出した段差露出部２６が設けられている。詳細には、図４に示すように、最上層の反射型偏光シート２４Ｃに長辺から横長の矩形に切り欠かれた上層切欠部２４１が形成されており、中間層のレンズシート２４Ｂの長辺の同位置には、上層切欠部２４１より短い矩形に切り欠かれた中間層切欠部２４２が形成されており、下層の拡散シート２４Ａには切欠部が形成されていない。このように、各シート２４Ａ，２４Ｂ，２４Ｃ毎に切り欠き深さを異ならせたり切り欠きを形成しないことで、３枚が積層された状態においては、各シート２４Ａ，２４Ｂ，２４Ｃが階段状に露出するようになっている。このような段差露出部２６を設けることにより、各シート２４Ａ，２４Ｂ，２４Ｃが正規の順番で積層されているかどうかを視認することができる。なお、この段差露出部２６は、液晶パネル１１の非表示領域に対応する領域に設けられている。
【００２６】
導光板２３の反射面２３Ｃ（液晶パネル１１とは反対側の面、裏面）は、反射シート２５に重ねられている。反射シート２５は、表面が光反射性に優れた白色を呈する合成樹脂製のシート材からなるものとされ、導光板２３内を伝播して反射面２３Ｃから出射した光を表側（光出射面２３Ｂ）に向けて効率的に立ち上げることができる。反射シート２５は、平面視において次述するフレーム３０より僅かに小さい長方形状をなしており、その中央の大部分が導光板２３の裏面に重ね合わされている。また反射シート２５の外周縁部は、導光板２３の外周端面よりも外側に延出されており、フレーム３０の下端面に図示しない固定テープにより固定されている。すなわち反射シート２５は、フレーム３０の開口方向（図２の上下方向）における一端側を塞いでフレーム３０の底壁を構成している。
【００２７】
フレーム３０（枠状部の一例）は合成樹脂製であって、全体的には導光板２３より一回り大きな長方形の枠状をなしている。フレーム３０は、その短辺方向がＸ軸方向と一致し、長辺方向がＹ軸方向と一致し、高さ方向がＺ軸方向と一致するように配されて、ＬＥＤ基板２２及び導光板２３等を一括して外周から取り囲んでいる。フレーム３０の高さ寸法は、導光板２３の厚さ寸法と光学シート２４の厚さ寸法を合計した寸法に設定されており、フレーム３０の上面と光学シート２４の上面はほぼ面一とされている。
【００２８】
フレームの上端面（表側の面）および光学シート２４の上面（表面）の外周端部には、次述する遮光両面テープ１８の裏面が両者を架け渡すように貼付されている。また、上述した液晶パネル１１は、この遮光両面テープ１８を介して、全周に亘ってフレーム３０（バックライト装置２０）と固着されている。
【００２９】
遮光両面テープ１８（固着部材の一例）は、遮光性を有する黒色樹脂等により形成されており、全体としてはフレーム３０の外周縁部に沿う外径を有する枠状とされて、フレーム３０の上端面に貼付されている。遮光両面テープ１８の一対の短辺のうち、ＬＥＤ基板２２が配された側の短辺は、図１に示すように、他の３つの辺よりも幅寸法が広く形成された幅広部１８Ａとされている。幅広部１８Ａは、ＬＥＤ基板２２の幅寸法より広い寸法に設定されており、ＬＥＤ基板２２全体を上方から被覆している。また幅広部１８Ａの内周縁部は、上述したように、ＬＥＤ基板２２より内側に配された光学シート２４の端部を被覆する領域まで延びているとともに、他の３つの辺の内周縁部も光学シート２４の端部を覆う領域まで延びており、これにより、遮光両面テープ１８は周方向の全体においてフレーム３０から光学シート２４の外周端部にわたる領域を上方から被覆している（図２参照）。この枠状の遮光両面テープ１８によって囲まれた内側の領域は、液晶パネル１１の表示領域（アクティブエリア）に対応している。
【００３０】
また、幅広部１８Ａのうち短辺の延び方向（Ｘ軸方向）における両端部には、一対のテープ側第１切欠部１９Ａが形成されている。テープ側第１切欠部１９Ａは、長辺方向（Ｙ方向）に延びるフレーム３０を残しつつ幅広部１８Ａの内周縁部を凹形状に（Ｕ字形状）に切り欠いたものであって、その内側に上述した光学シート２４の段差露出部２６を露出させている。すなわち、遮光両面テープ１８は、段差露出部２６以外の非表示領域に対応する領域全体を覆うように設けられている。なお、段差露出部２６以外とは、厳密には、テープ側第１切欠部１９Ａ内に露出した段差露出部２６および段差露出部２６の周辺領域以外、という意味である。
【００３１】
さらに、遮光両面テープ１８の一対の長辺のうち、段差露出部２６に隣接した領域からＬＥＤ基板２２が配された側の端部にかけては、外周縁部から内側に向けて細長く僅かに切り欠かれたテープ側第２切欠部１９Ｂが形成されている（図５参照）。テープ側第２切欠部１９Ｂは、図３に示すように、その切り欠き深さがフレーム３０の上端面の幅寸法（フレーム３０の板厚）の半分程度に設定されている。このテープ側第２切欠部１９Ｂは、遮光両面テープ１８をフレーム３０に貼付する際に、両者の位置関係を目視するためのものである。
【００３２】
なお、遮光両面テープ１８は、バックライト装置２０における導光板２３と光学シート２４との間の段差や、フレーム３０とＬＥＤ基板２２との間の段差等を吸収可能な、柔らかい樹脂により形成されている（図２参照）。
【００３３】
また、フレーム３０には、ＬＥＤ基板２２を外部の電源とを接続する延出部２２Ａを挿通させる図示しない挿通部が設けられているが、延出部２２Ａおよび挿通部は遮光両面テープ１８により気密な状態で埋設されている。このような構成では、遮光両面テープ１８および液晶パネル１１により閉じられたバックライト装置２０の内部空間は、密閉状態とされる。
【００３４】
ここで、本実施形態においては、上述したフレーム３０の長辺のうち少なくとも段差露出部２６に対応する領域に、その上端部（液晶パネル１１側の端部）から下方（反射シート２５側）に向けて切り欠かれた形態の開口部３１が設けられている。開口部３１は、図５に示すように、全体として扁平な溝状をなしており、その下端が導光板２３の表面（液晶パネル１１側の面、光出射面２３Ｂ）と面一か、表面よりやや低い位置となるように設定されている。すなわち、開口部３１内には、少なくとも、３層の各光学シート２４の端面が、積層方向（Ｚ軸方向）において全体が露出した状態とされている。より詳細には、導光板２３の少なくとも上面（表面）を含む端面と、拡散シート２４Ａの端面と、レンズシート（プリズムシート）２４Ｂの中間層切欠部２４２の端面と、反射型偏光シート２４Ｃの上層切欠部２４１の端面とが露出している。この開口部３１により、液晶表示装置１０（バックライト装置２０）の内部は密閉状態が解かれ、開口部３１において空気の流通が可能とされている。なお本実施形態においては、開口部３１の長辺方向（Ｙ軸方向）の寸法は１ｍｍであり、深さ寸法（Ｚ軸方向の寸法）は０．１５ｍｍである。
【００３５】
本実施形態の液晶表示装置１０は以上の構成であって、次に作用効果について説明する。本実施形態の液晶表示装置１０は、画像を表示する液晶パネル１１と、液晶パネル１１の背面に配され、光を発する導光板２３等と、導光板２３等を外周から取り囲むフレーム３０と、フレーム３０のうち液晶パネル１１と反対側を塞ぐ反射シート２５と、を有するバックライト装置２０と、を備え、液晶パネル１１およびバックライト装置２０が外周領域において遮光両面テープ１８により固着されており、フレーム３０が、バックライト装置２０の内部空間と外部とを連通させる開口部３１を有している。
【００３６】
このような構成によれば、液晶表示装置１０がカバーガラスやタッチパネルを取り付ける際に真空環境下に置かれた場合でも、液晶表示装置１０（バックライト装置２０）は開口部３１により内部空間と外部とが連通した状態とされているから、開口部３１から内部空間の空気が抜かれる。よって、バックライト装置２０がその内側に存在する空気の膨張により膨らむことが抑制される。
【００３７】
また、開口部３１は、導光板２３のうち液晶パネル１１側の表面から複数の光学シート２４のうち液晶パネル１１側の表面まで設けられている。
【００３８】
このような構成によれば、導光板２３と光学シート２４との間や、複数の光学シート２４の間に存在している空気を、より効果的に抜くことができる。従って、空気の膨らみによって光学シート２４が撓んだり、撓んだ光学シート２４が液晶パネル１１に貼り付いたりすることが抑制され、明暗の表示ムラやニュートンリングの発生を抑制することができる。
【００３９】
また、複数の光学シート２４の端部の一部が段差状に順に露出する段差露出部２６を有しており、開口部３１は段差露出部２６に対応する領域に設けられている。このような構成によれば、段差露出部２６が設けられていない構成と比較して、各光学シート２４間の空気がより抜け易い。また、この領域に開口部３１を設けることにより、より効果的に空気を抜くことができる。
【００４０】
また、液晶パネル１１は、画像が表示される表示領域と、表示領域を取り囲む非表示領域とを有し、段差露出部２６は、光学シート２４のうち、非表示領域に対応する領域に設けられており、遮光両面テープ１８は、段差露出部２６以外の非表示領域に対応する領域に設けられている。
【００４１】
このような構成によれば、空気が抜かれ易い段差露出部２６には遮光両面テープ１８が貼付されていないから、空気抜きの効果を損なうことが回避される。
【００４２】
さらに、開口部３１はフレーム３０のうち液晶パネル１１側の端縁部を切り欠いた形態とされている。このような構成によれば、孔状の開口部を設ける構成と比較して、開口部３１を容易に形成することが可能である。
【００４３】
＜実施形態２＞
次に、本発明の実施形態２を図６によって説明する。なお、以下においては実施形態１と異なる構成についてのみ説明するものとし、実施形態１と同様の構成には同一符号を付すこととし、重複する説明を省略する。
【００４４】
本実施形態の液晶表示装置（バックライト装置１２０）は、フレーム１３０に設けられた開口部１３１の形態が上記実施形態１と相違している。本実施形態の開口部１３１は、上記実施形態１の開口部３１と同範囲かつ同等の切り欠き深さで設けられているが、長さ方向（Ｙ軸方向）において３つに分割されて、全体として矩形の凹凸形状とされている。
【００４５】
このような構成によれば、開口部１３１を通して空気は確実に流通させつつ、実施形態１と比較して異物がバックライト装置１２０の内部空間に侵入し難いという効果が得られる。
【００４６】
＜実施形態２の変形例＞
上記実施形態２では、矩形の凹凸形状となるように切り欠かれた開口部１３１を設ける構成としたが、開口部の切り欠き形態は上記実施形態２に限らず、例えば図７に示すように、複数のＶ字型の開口部２３１を設ける構成とすることもできる。
【００４７】
＜実施形態３＞
次に、実施形態３を図８および図９によって説明する。以下においては実施形態１と異なる構成についてのみ説明するものとし、実施形態１と同様の構成には同一符号を付すこととし、重複する説明を省略する。
【００４８】
本実施形態の液晶表示装置（バックライト装置３２０）は、光学シート３２４の形態が上記実施形態１と相違している。本実施形態の光学シート３２４は、実施形態１と同様に、下層側から順に拡散シート３２４Ａと、レンズシート（プリズムシート）３２４Ｂと、反射型偏光シート３２４Ｃとが重ねられた３層構造とされているが、段差露出部の代わりに、３枚の各シート３２４Ａ，３２４Ｂ，３２４Ｃが同位置において同形状に切り欠かれた切欠部３２６を有している（図８参照）。すなわち、各シート３２４Ａ，３２４Ｂ，３２４Ｃの切り欠き端面は面一となるように露出している。
【００４９】
このような切欠部３２６を設けることによっても、上記実施形態と同様に、光学シート３２４に切欠部３２６を設けない構成と比較して、開口部３１からバックライト装置３２０内部の空気を円滑に抜き易い。
【００５０】
＜他の実施形態＞
本発明は上記記述及び図面によって説明した実施形態に限定されるものではなく、例えば次のような実施形態も本発明の技術的範囲に含まれる。
【００５１】
（１） 上記実施形態では、フレーム３０，１３０，２３０の上端（液晶パネル１１側の端部）から下方（反射シート２５側）に向けて切り欠かれた開口部３１，１３１，２３１を設ける形態を示したが、開口部は切り欠きでなく、フレームの壁を貫通する孔でもよい。
【００５２】
（２）上記実施形態では、開口部３１，１３１，２３１は、導光板２３のうち液晶パネル１１側の表面から光学シート２４，３２４のうち液晶パネル１１側の表面までを含むように設ける構成を示したが、開口部が設けられる範囲は上記実施形態に限るものでない。それ以外の領域に設けられた場合でも、バックライト装置の内外で空気を流通させる効果を得ることができる。
【００５３】
（３）光学シート２４，３２４の種類は上記実施形態に限るものでなく、他の種類の光学シートを使用することも可能である。また、光学シートは３層構造に限らず、２層以下であったり、４層以上であってもよい。また積層順も上記実施形態に限るものではない。
【００５４】
（４） 上記実施形態では、光学シート２４，３２４に切欠部（段差露出部２６、切欠部３２６）を設ける構成としたが、光学シートに切欠部は必ずしも設けなくてもよい。切欠部が設けられない構成であっても、バックライト装置内部の空気を外部に抜くことができる。
【００５５】
（５）また、光学シートに切欠部を設けた場合でも、開口部は切欠部と対応する領域以外の領域に設けてもよい。また開口部の形態も、上記実施形態に限るものではない。
【００５６】
（６）上記実施形態では、液晶パネル１１とバックライト装置２０，１２０，２２０，３２０とを外周領域において遮光両面テープ１８によって固着する構成を示したが、遮光両面テープ１８以外の固着部材で固着する構成も本発明の技術的範囲に含まれる。また、外周領域だけでなく、透明な固着部材により全面を固着してもよい。要は、本発明の技術は、密閉状態とされたバックライト装置に対して有効である。
【００５７】
（７） また、遮光両面テープ１８のテープ側第１切欠部１９Ａやテープ側第２切欠部１９Ｂは省略してもよい。そのような構成でも、バックライト装置の内外で空気を流通させることが可能である。
【００５８】
（８） 上記実施形態では、別体とされたフレーム３０と反射シート２５とで、導光板２３等を収容する浅皿状の筐体を構成したが、予め底壁が一体に形成された浅皿状の筐体を使用することもできる。
【符号の説明】
【００５９】
１０：液晶表示装置（表示装置）、１１：液晶パネル(表示パネル)、１８：遮光両面テープ（固着部材）、２０，１２０，２２０，３２０：バックライト装置（照明装置）、２１：ＬＥＤ（発光部材）、２２：ＬＥＤ基板（発光部材）、２３：導光板（発光部材）、２４，３２４：光学シート（発光部材）、２５：反射シート（底壁）、２６：段差露出部、３０，１３０，２３０：フレーム（枠状部）、３１，１３１，２３１：開口部
【図１】
2020091455.tif 000003
【図２】
2020091455.tif 000004
【図３】
2020091455.tif 000005
【図４】
2020091455.tif 000006
【図５】
2020091455.tif 000007
【図６】
2020091455.tif 000008
【図７】
2020091455.tif 000009
【図８】
2020091455.tif 000010
【図９】
2020091455.tif 000011